(57)【要約】【課題】発電装置と共に運用する充放電装置について、高充電状態及び低充電状態が長期間連続することによる充放電装置の蓄電池の耐久性低下を回避できる分散型電源システムを提供する。【解決手段】分散型電源システムの充放電制御部２１は、運転モードが通常充放電モードに設定されているとき、充放電部２２の充電レベルが通常用上限レベルより大きくならず且つ通常用下限レベルより小さくならないことを条件として、電力消費装置３の消費電力と充放電装置２０の受取電力との和が通常用目標電力になるように充放電装置２０の受取電力を制御し、過去の所定期間内での充放電部２２の充電レベルの増減範囲が広くなるほど、通常用上限レベルの値が大きくなり且つ通常用下限レベルの値が小さくなるように定められた関係に基づいて、通常用上限レベルの値及び通常用下限レベルの値を設定する。【選択図】図１
2019030161.tif 000002
【特許請求の範囲】
【請求項１】
電力系統に接続される交流線と、
前記交流線に接続され、発電部及び前記発電部の動作を制御する発電制御部を有する発電装置と、
前記交流線に接続され、前記交流線との間での電力の充放電を行う蓄電池を含む充放電部及び前記充放電部の動作を制御する充放電制御部を有する充放電装置とを備え、
前記交流線に電力消費装置が接続されている分散型電源システムであって、
前記充放電装置が前記交流線から受け取る受取電力として、前記充放電装置による前記交流線からの充電電力を正の受取電力と見なし、前記充放電装置による前記交流線への放電電力を負の受取電力と見なしたとき、
前記発電装置の前記発電制御部は、前記電力消費装置が前記交流線から受け取る消費電力と前記充放電装置が前記交流線から受け取る受取電力との和に見合った電力を前記発電装置から前記交流線に提供するように、所定の最小提供電力と最大提供電力との間の範囲内で前記発電装置から前記交流線への提供電力を制御し、
前記充放電装置の前記充放電制御部は、
前記充放電装置の運転モードを、前記充放電部の充電レベルに応じて、通常充放電モード、及び、前記通常充放電モードで運転しているときよりも前記充放電部からの放電を促進する放電促進モード、及び、前記通常充放電モードで運転しているときよりも前記充放電部への充電を促進する充電促進モードの何れかに設定する運転モード設定処理を行い、
前記運転モードが前記通常充放電モードに設定されているとき、前記充放電部の充電レベルが、通常用レベル設定処理によって設定されている通常用上限レベルより大きくならず且つ通常用下限レベルより小さくならないことを条件として前記充放電装置による前記交流線との間での電力の充放電を許可した状態で、前記電力消費装置が前記交流線から受け取る消費電力と前記充放電装置が前記交流線から受け取る受取電力との和が所定の通常用目標電力になるように、前記充放電装置が前記交流線から受け取る受取電力を制御し、
前記通常用レベル設定処理において、過去の所定期間内での前記充放電部の充電レベルの増減範囲が広くなるほど、前記通常用上限レベルの値が大きくなり且つ前記通常用下限レベルの値が小さくなるように定められた関係に基づいて、所定のタイミングで前記通常用上限レベルの値及び前記通常用下限レベルの値を設定する分散型電源システム。
【請求項２】
前記充放電装置の前記充放電制御部は、前記運転モード設定処理において、
前記運転モードが前記通常充放電モードに設定されている間に前記充放電部の充電レベルが所定の最大閾値以上となる状態が設定期間連続すると、所定の放電促進停止条件が満たされるまで前記運転モードを前記放電促進モードに設定し、
前記運転モードが前記通常充放電モードに設定されている間に前記充放電部の充電レベルが所定の最小閾値以下となる状態が設定期間連続すると、所定の充電促進停止条件が満たされるまで前記運転モードを前記充電促進モードに設定する請求項１に記載の分散型電源システム。
【請求項３】
前記充放電装置の前記充放電制御部は、前記運転モードが前記放電促進モードに設定されているとき、
前記電力消費装置が前記交流線から受け取る消費電力と前記充放電装置が前記交流線から受け取る受取電力との和が、前記通常用目標電力よりも小さい所定の放電促進用目標電力になるように、前記充放電装置が前記交流線から受け取る受取電力を制御する請求項１又は２に記載の分散型電源システム。
【請求項４】
前記充放電装置の前記充放電制御部は、前記運転モードが前記放電促進モードに設定されているとき、前記充放電装置が前記交流線からの電力の充電を行わずに前記充放電部で蓄えている電力の自己消費を行わせる請求項１又は２に記載の分散型電源システム。
【請求項５】
前記充放電装置の前記充放電制御部は、前記運転モードが前記充電促進モードに設定されているとき、前記充放電部から前記交流線への放電を行わずに前記充放電部への一定電力以上の充電を継続させる請求項１〜４の何れか一項に記載の分散型電源システム。
【発明の詳細な説明】
【技術分野】
【０００１】
本発明は、電力系統に接続される交流線と、交流線に接続され、発電部及び発電部の動作を制御する発電制御部を有する発電装置と、交流線に接続され、交流線との間での電力の充放電を行う蓄電池を含む充放電部及び充放電部の動作を制御する充放電制御部を有する充放電装置とを備え、交流線に電力消費装置が接続されている分散型電源システムに関する。
【背景技術】
【０００２】
従来から、電力系統に接続される交流線と、その交流線に接続される燃料電池装置のような出力を自在に調節できる発電装置と、その交流線に接続される充放電装置とを備え、その交流線に電力消費装置が接続されている分散型電源システムがある。このような分散型電源システムでは、電力消費装置に対して、電力系統及び発電装置及び充放電装置の少なくとも一つから電力を供給できる。そのため、発電装置を発電運転させる、或いは、充放電装置から放電させることで、電力系統からの受電電力を小さくした状態で、電力消費装置への電力の供給を行える。
【０００３】
特許文献１には、上述のような発電装置を備えていないが、太陽光発電装置と蓄電池（充放電装置）とを備えている分散型電源システムが記載されている。この分散型電源システムでは、昼間に太陽光発電装置の余剰電力が蓄電池に充電されるＰＶ充電モードの後に、蓄電池の充電レベル：ＳＯＣ（State of Charge）が所定の下限レベルになるように蓄電池が放電される強制放電モードが実行される。更に、強制放電モードの後に、夜間の外部電力によって蓄電池が充電される回帰モードが実行される。このＰＶ充電モードにより、昼間は太陽光発電装置の余剰電力を蓄電でき、その後の強制放電モードにより、バックアップ用として最小限の電力量を蓄電池に残しつつ蓄電池の空き容量を確保し、更にその後の回帰モードにより、夜間電力を蓄電できる。
【０００４】
特許文献１に記載の分散型電源システムであれば、ＰＶ充電モードを実行するのは毎日決まった時間帯（昼間）だけに限定され、それ以外の時間帯にはＰＶ充電モードを実行しない。そのため、昼間のＰＶ充電モードの後に実行される強制放電モードによって、夜間の回帰モードが実行されるまでの間に、蓄電池のＳＯＣは充分に低下させることができる。
【先行技術文献】
【特許文献】
【０００５】
【特許文献１】特開２０１６−２２０４６１号公報
【発明の概要】
【発明が解決しようとする課題】
【０００６】
発電装置は、特許文献１に記載の分散型電源システムが備えている太陽光発電装置と異なり、あらゆる時間帯に発電を行うことができる。また、分散型電源システムが充放電装置を備えていれば、電力消費装置の消費電力の大小に関わらず発電装置を一定の出力で運転させ、不足電力は充放電装置の蓄電池からの放電電力で賄い、余剰電力は充放電装置の蓄電池に充電させるといった効率的な運用が可能になる。
【０００７】
但し、春や秋などには、冷房や暖房などのために電力消費装置としての冷房装置や暖房装置で大電力が消費される夏や冬と比べて電力消費装置の消費電力が相対的に小さくなる期間が連続することがある。そのため、発電装置を一定の出力で運転させ、余剰電力を充放電装置の蓄電池に充電させ続けると、充放電装置の蓄電池の充電レベルがほとんど低下せず、場合によっては充電レベルがほぼ１００％の状態で連続することもある。その結果、例えばリチウムイオン電池などの蓄電池の寿命（耐久性）に悪影響が生じる可能性が高まる。
【０００８】
また、夏や冬の間でも、特に暑さの厳しい時期や特に寒さの厳しい時期は、ほぼ一日中連続して電力消費装置としての冷房装置や暖房装置などが運転され、発電装置を一定の出力で運転させても、常に不足電力が発生した状態になることがある。そのような場合、発電装置を一定の出力で運転させ、不足電力を充放電装置の蓄電池からの放電によって賄い続けると、充放電装置の蓄電池の充電レベルがほとんど上昇せず、場合によっては充電レベルがほぼ０％の状態で連続することもある。その結果、例えばリチウムイオン電池などの蓄電池の寿命（耐久性）に悪影響が生じる可能性が高まる。
【０００９】
このように、電力消費装置の消費電力が小さい状態が連続する時期に入ってしまうと、暫くの間は充放電装置の蓄電池の充電レベルが低下せずにほぼ１００％の状態で連続することが起こり得る。同様に、電力消費装置の消費電力が大きい状態が連続する時期に入ってしまうと、暫くの間は充放電装置の蓄電池の充電レベルが上昇せずにほぼ０％の状態で連続することが起こり得る。
尚、充放電装置の蓄電池の充電レベルがほぼ１００％となる状態が連続したときに蓄電池から強制的に放電させることも可能であるが、例えば、その強制放電分だけ発電装置の出力を低下させることなどが必要である。その場合、分散型電源システムの省エネルギー性が低下するという問題が生じる。また、充放電装置の蓄電池の充電レベルがほぼ０％となる状態が連続したときに蓄電池へ強制的に充電させることも可能であるが、例えば、その強制充電分だけ商用系統からの受電電力を増加させることなどが必要である。その場合、受電電力のコストが増加するという問題が生じる。
【００１０】
本発明は、上記の課題に鑑みてなされたものであり、その目的は、発電装置と共に運用する充放電装置について、高充電状態及び低充電状態が長期間連続することによる充放電装置の蓄電池の耐久性低下を回避できる分散型電源システムを提供する点にある。
【課題を解決するための手段】
【００１１】
上記目的を達成するための本発明に係る分散型電源システムの特徴構成は、電力系統に接続される交流線と、前記交流線に接続され、発電部及び前記発電部の動作を制御する発電制御部を有する発電装置と、前記交流線に接続され、前記交流線との間での電力の充放電を行う蓄電池を含む充放電部及び前記充放電部の動作を制御する充放電制御部を有する充放電装置とを備え、前記交流線に電力消費装置が接続されている分散型電源システムであって、
前記充放電装置が前記交流線から受け取る受取電力として、前記充放電装置による前記交流線からの充電電力を正の受取電力と見なし、前記充放電装置による前記交流線への放電電力を負の受取電力と見なしたとき、
前記発電装置の前記発電制御部は、前記電力消費装置が前記交流線から受け取る消費電力と前記充放電装置が前記交流線から受け取る受取電力との和に見合った電力を前記発電装置から前記交流線に提供するように、所定の最小提供電力と最大提供電力との間の範囲内で前記発電装置から前記交流線への提供電力を制御し、
前記充放電装置の前記充放電制御部は、
前記充放電装置の運転モードを、前記充放電部の充電レベルに応じて、通常充放電モード、及び、前記通常充放電モードで運転しているときよりも前記充放電部からの放電を促進する放電促進モード、及び、前記通常充放電モードで運転しているときよりも前記充放電部への充電を促進する充電促進モードの何れかに設定する運転モード設定処理を行い、
前記運転モードが前記通常充放電モードに設定されているとき、前記充放電部の充電レベルが、通常用レベル設定処理によって設定されている通常用上限レベルより大きくならず且つ通常用下限レベルより小さくならないことを条件として前記充放電装置による前記交流線との間での電力の充放電を許可した状態で、前記電力消費装置が前記交流線から受け取る消費電力と前記充放電装置が前記交流線から受け取る受取電力との和が所定の通常用目標電力になるように、前記充放電装置が前記交流線から受け取る受取電力を制御し、
前記通常用レベル設定処理において、過去の所定期間内での前記充放電部の充電レベルの増減範囲が広くなるほど、前記通常用上限レベルの値が大きくなり且つ前記通常用下限レベルの値が小さくなるように定められた関係に基づいて、所定のタイミングで前記通常用上限レベルの値及び前記通常用下限レベルの値を設定する点にある。
【００１２】
上記特徴構成によれば、充放電装置の充放電制御部は、運転モードが通常充放電モードに設定されているとき、充放電部の充電レベルが、通常用レベル設定処理によって設定されている通常用上限レベルより大きくならず且つ通常用下限レベルより小さくならないことを条件として充放電装置による交流線との間での電力の充放電を許可した状態で、電力消費装置が交流線から受け取る消費電力と充放電装置が交流線から受け取る受取電力との和が所定の通常用目標電力になるように、充放電装置が交流線から受け取る受取電力を制御する。その結果、発電装置の発電制御部は、充放電装置の運転モードが通常充放電モードに設定されている間は、その一定の通常用目標電力に見合った電力を発電装置から交流線に提供するように、発電装置から交流線への提供電力を制御する。つまり、充放電装置の運転モードが通常充放電モードに設定されている間は、発電装置を好ましくは一定出力（＝通常用目標電力）で運転させることができる。
【００１３】
加えて、運転モードが通常充放電モードに設定されているとき、充放電部の充電レベルが、通常用レベル設定処理によって設定されている通常用上限レベルより大きくならず且つ通常用下限レベルより小さくならないことが確保される。つまり、充放電装置では、充電及び放電を無制限に行えるのではなく、通常用レベル設定処理によって設定される通常用上限レベル及び通常用下限レベルによって充電及び放電に制限が加えられることで、充放電部の充電レベルを所望の範囲内に制限できる。よって、例えば、充放電部の充電レベルがほぼ１００％となる状態やほぼ０％となる状態などで連続することを回避できる。
【００１４】
更に本特徴構成では、通常用レベル設定処理において、過去の所定期間内での充放電部の充電レベルの増減範囲が広くなるほど、通常用上限レベルの値が大きくなり且つ通常用下限レベルの値が小さくなるように定められた関係に基づいて、所定のタイミングで通常用上限レベルの値及び通常用下限レベルの値が設定される。つまり、通常用レベル設定処理において、過去の所定期間内での充放電部の充電レベルの増減範囲が広くなるほど通常用上限レベルの値が大きくなり且つ通常用下限レベルの値が小さくなるように設定され、過去の所定期間内での充放電部の充電レベルの増減範囲が狭くなるほど通常用上限レベルの値が小さくなり且つ通常用下限レベルの値が大きくなるように設定される。
その結果、過去の所定期間内での充放電部の充電レベルの増減範囲が広かったのであれば、その後も充放電部の充電レベルが広い範囲内で増減できるように、通常用上限レベルの値を大きくすることで充放電部への充電余裕を大きく確保しておくことができ、且つ、通常用下限レベルの値を小さくすることで充放電部からの放電余裕を大きく確保しておくことができる。
それに対して、過去の所定期間内での充放電部の充電レベルの増減範囲が狭かったのであれば、その後は充放電部の充電レベルが狭い範囲内でしか増減できないように、通常用上限レベルの値を小さくしておき、且つ、通常用下限レベルの値を大きくしておくことができる。それにより、充放電部の充電レベルの増減範囲が狭い状態にある（即ち、充電レベルが一定の値で固定され得る状態にある）にも関わらず、充放電部への充電が行われ過ぎてほぼ１００％の状態で固定されるといった問題や、充放電部への放電が行われ過ぎてほぼ０％の状態で固定されるといった問題などの発生を回避できる。
従って、発電装置と共に運用する充放電装置について、高充電状態及び低充電状態が長期間連続することによる充放電装置の蓄電池の耐久性低下を回避できる分散型電源システムを提供できる。
【００１５】
本発明に係る分散型電源システムの別の特徴構成は、前記充放電装置の前記充放電制御部は、前記運転モード設定処理において、前記運転モードが前記通常充放電モードに設定されている間に前記充放電部の充電レベルが所定の最大閾値以上となる状態が設定期間連続すると、所定の放電促進停止条件が満たされるまで前記運転モードを前記放電促進モードに設定し、前記運転モードが前記通常充放電モードに設定されている間に前記充放電部の充電レベルが所定の最小閾値以下となる状態が設定期間連続すると、所定の充電促進停止条件が満たされるまで前記運転モードを前記充電促進モードに設定する点にある。
【００１６】
上記特徴構成によれば、充放電装置の充放電制御部は、運転モードが通常充放電モードに設定されている間に充放電部の充電レベルが所定の最大閾値以上となる状態が設定期間連続すると、所定の放電促進停止条件が満たされるまで運転モードを放電促進モードに設定する。よって、放電促進モードに設定されている間は、通常充放電モードで運転しているときよりも充放電部からの放電が促進されるので、充放電部の充電レベルが上記最大閾値よりも小さくなることを期待できる。
また、充放電装置の充放電制御部は、運転モードが通常充放電モードに設定されている間に充放電部の充電レベルが所定の最小閾値以下となる状態が設定期間連続すると、所定の充電促進停止条件が満たされるまで運転モードを充電促進モードに設定する。よって、充電促進モードに設定されている間は、通常充放電モードで運転しているときよりも充放電部への充電が促進されるので、充放電部の充電レベルが上記最小閾値よりも大きくなることを期待できる。
【００１７】
本発明に係る分散型電源システムの更に別の特徴構成は、前記充放電装置の前記充放電制御部は、前記運転モードが前記放電促進モードに設定されているとき、前記電力消費装置が前記交流線から受け取る消費電力と前記充放電装置が前記交流線から受け取る受取電力との和が、前記通常用目標電力よりも小さい所定の放電促進用目標電力になるように、前記充放電装置が前記交流線から受け取る受取電力を制御する点にある。
【００１８】
上記特徴構成によれば、充放電装置が交流線から受け取る受取電力を通常充放電モードの場合と放電促進モードの場合とで比較した場合、放電促進用目標電力は通常用目標電力よりも小さいため、電力消費装置の消費電力が同じであれば、充放電装置が交流線から受け取る受取電力は放電促進モードの場合の方が小さくなる。つまり、充放電装置が交流線から受け取る受取電力が小さいということは、充放電装置の充電電力が小さくなる或いは放電電力が大きくなることを意味する。その結果、通常充放電モードで運転しているときよりも充放電部からの放電が促進或いは少なくとも充放電部への充電が抑制されるので、充放電部の充電レベルが上記最大閾値よりも小さくなることを期待できる。
加えて、発電装置の発電制御部は、充放電装置の運転モードが放電促進モードに設定されている間は、その一定の放電促進用目標電力に見合った電力を発電装置から交流線に提供するように、発電装置から交流線への提供電力を制御する。つまり、充放電装置の運転モードが放電促進モードに設定されている間であっても、発電装置を運転させ続けることができる。
【００１９】
本発明に係る分散型電源システムの更に別の特徴構成は、前記充放電装置の前記充放電制御部は、前記運転モードが前記放電促進モードに設定されているとき、前記充放電装置が前記交流線からの電力の充電を行わずに前記充放電部で蓄えている電力の自己消費を行わせる点にある。
【００２０】
上記特徴構成によれば、充放電装置が交流線からの電力の充電を行わずに充放電部で蓄えている電力の自己消費を行うことで、充放電部の充電レベルが上記最大閾値よりも小さくなることを期待できる。
【００２１】
本発明に係る分散型電源システムの更に別の特徴構成は、前記充放電装置の前記充放電制御部は、前記運転モードが前記充電促進モードに設定されているとき、前記充放電部から前記交流線への放電を行わずに前記充放電部への一定電力以上の充電を継続させる点にある。
【００２２】
上記特徴構成によれば、充放電部から交流線への放電を行わずに充放電部への一定電力以上の充電を継続させることで、充放電部の充電レベルが上記最小閾値よりも大きくなることを期待できる。
【図面の簡単な説明】
【００２３】
【図１】分散型電源システムの構成を示す図である。
【図２】通常充放電モード（充電時）での分散型電源システムの動作状態を例示する図である。
【図３】通常充放電モード（放電時）での分散型電源システムの動作状態を例示する図である。
【図４】放電促進モードでの分散型電源システムの動作状態を例示する図である。
【図５】充電促進モードでの分散型電源システムの動作状態を例示する図である。
【図６】運転モード設定処理を説明するフローチャートである。
【図７】通常充放電モードを説明するフローチャートである。
【図８】充放電部の充電レベルに関する通常用レベル設定処理の内容を模式的に示す図である。
【発明を実施するための形態】
【００２４】
以下に図面を参照して本発明の実施形態に係る分散型電源システムについて説明する。
図１は本実施形態の分散型電源システムの構成を示す図である。図１に示すように、分散型電源システムは、電力系統１に接続される交流線２と、交流線２に接続される発電装置としての燃料電池装置１０と、交流線２に接続される充放電装置２０とを備え、交流線２に電力消費装置３が接続されている。また、本実施形態では、交流線２に対する電力系統１の接続箇所から見て下流側に向かって第１接続箇所６と第２接続箇所７とがその並び順で設けられ、第１接続箇所６には燃料電池装置１０が接続され、第２接続箇所７には充放電装置２０及び電力消費装置３が接続されている。燃料電池装置１０が交流線２に供給する電力及び充放電装置２０が交流線２に供給する電力の合計が電力消費装置３の消費電力Ｐ３に満たない場合、その不足電力は電力系統１からの受電電力によって賄われる。
【００２５】
図１に示すように、本実施形態では、電力系統１から第１接続箇所６に向かう方向の電力Ｐ１を正の電力と見なし、第１接続箇所６から第２接続箇所７に向かう方向の電力Ｐ２を正の電力と見なす。また、充放電装置２０が交流線２から受け取る受取電力Ｐｂとして、充放電装置２０による交流線２からの充電電力を正の受取電力と見なし、充放電装置２０による交流線２への放電電力を負の受取電力と見なして説明を行う。よって、図１では、受取電力Ｐｂを、交流線２から充放電装置２０に向かう方向の矢印で記載している。
【００２６】
〔燃料電池装置１０〕
発電装置としての燃料電池装置１０は、発電部としての燃料電池部１２及び燃料電池部１２の動作を制御する発電制御部としての燃料電池制御部１１を有する。燃料電池部１２は、燃料電池１２ａ及び燃料電池１２ａで発生した電力を、所望の電圧、周波数、位相の電力に変換して交流線２に出力するための電力変換部１２ｂを有する。
【００２７】
燃料電池１２ａは、例えば固体酸化物形燃料電池（ＳＯＦＣ）を用いて実現できる。或いは、燃料電池１２ａを、固体高分子形燃料電池（ＰＥＦＣ）などの他のタイプの燃料電池１２ａを用いて実現してもよい。尚、図示は省略するが、燃料電池部１２が、燃料電池１２ａのアノードに供給する燃料ガスとしての水素等を改質処理により生成する燃料改質器などを備えていてもよい。そして、燃料電池制御部１１は、燃料電池１２ａの運転開始、運転停止、出力状態などを制御する。また、燃料電池制御部１１は、電力変換部１２ｂによる電力変換動作を制御する。
【００２８】
燃料電池制御部１１には、電力計測器４で計測される電力についての情報が伝達される。電力計測器４は、交流線２の途中の、第１接続箇所６よりも上流側（電力系統１側）に設けられ、電力系統１側から第１接続箇所６に向かう電力を計測する。電力計測器４は、例えば交流線２における電力の電流値を検出するために用いられるカレントトランス（計器用変流器）を用いて構成され、所定の電圧値（例えば１００Ｖ、２００Ｖ等）との積から、交流線２での電力値を導出できる。尚、電力計測器４は交流線２での電力の電流値のみを燃料電池制御部１１に伝達し、燃料電池制御部１１が電力値の導出を行ってもよい。
【００２９】
電力計測器４が計測する電力Ｐ１は、電力消費装置３が交流線２から受け取る消費電力Ｐ３と、充放電装置２０が交流線２から受け取る受取電力Ｐｂとの和から、燃料電池装置１０から交流線２への提供電力Ｐｆを減算した値に対応する。
【００３０】
燃料電池装置１０の燃料電池制御部１１は、電力計測器４の計測結果を参照して、電力消費装置３が交流線２から受け取る消費電力Ｐ３と充放電装置２０が交流線２から受け取る受取電力Ｐｂとの和に見合った電力を燃料電池装置１０から交流線２に提供するように、所定の最小提供電力と最大提供電力との間の範囲内で、燃料電池装置１０から交流線２への提供電力Ｐｆを制御する。例えば、燃料電池装置１０は、電力系統１側から第１接続箇所６へ向かう電力Ｐ１が好ましくは負の電力とはならず且つ出来るだけ小さい設定電力になるように（特に好ましくは、上記設定電力が零、即ち、電力系統１側から第１接続箇所６へ向かう電力Ｐ１が零になるように）、燃料電池装置１０から交流線２への提供電力Ｐｆを調節する。
【００３１】
〔充放電装置２０〕
充放電装置２０は、交流線２との間での電力の充放電を行う蓄電池２２ａを含む充放電部２２及び充放電部２２の動作を制御する充放電制御部２１を有する。加えて、本実施形態の充放電部２２では、蓄電池２２ａは電力変換部２２ｂを介して交流線２に接続される。その結果、充放電部２２では、蓄電池２２ａに蓄えられている電力を、所望の電圧、周波数、位相の電力に変換して交流線２に出力できる。蓄電池２２ａは、例えばリチウムイオン電池等の二次電池などを用いて構成できる。充放電制御部２１は、電力変換部２２ｂの動作を制御して、蓄電池２２ａから交流線２への出力電力（放電電力）の制御と、交流線２から蓄電池２２ａへの入力電力（充電電力）の制御とを行う。
【００３２】
図示は省略するが、充放電装置２０は、電源が投入されて内部に通電が行われた状態で電力を消費可能な機器として、例えば、表示装置や演算処理装置や半導体素子や冷却ファンなどを備えている。よって、充放電装置２０は、それらの機器への通電量を調節することで、装置内部で自己消費する電力を変化させることもできる。
【００３３】
充放電制御部２１には、電力計測器５で計測される電力についての情報が伝達される。本実施形態では、電力計測器５は、交流線２の途中の、第１接続箇所６と第２接続箇所７との間に設けられ、第１接続箇所６から第２接続箇所７に向かう電力を計測する。つまり、電力計測器５が計測する電力は、電力消費装置３が交流線２から受け取る消費電力Ｐ３と、充放電装置２０が交流線２から受け取る受取電力Ｐｂとの和に対応する。電力計測器５は、例えば交流線２における電力の電流値を検出するために用いられるカレントトランス（計器用変流器）を用いて構成され、所定の電圧値（例えば１００Ｖ、２００Ｖ等）との積から、交流線２での電力値を導出できる。尚、電力計測器５は交流線２での電力の電流値のみを充放電制御部２１に伝達し、充放電制御部２１が電力値の導出を行ってもよい。そして、充放電制御部２１は、電力計測器５の計測結果を参照して、充放電装置２０が交流線２から受け取る受取電力Ｐｂを制御する。
【００３４】
充放電装置２０の充放電制御部２１は、充放電装置２０の運転モードを、充放電部２２の充電レベル：ＳＯＣ（State of Charge）に応じて、通常充放電モード、及び、放電促進モード、及び、充電促進モードの何れかに設定する運転モード設定処理を行う。
【００３５】
〔通常充放電モード〕
通常充放電モードは、充放電装置２０による交流線２との間での電力の充放電が許可される運転モードである。充放電装置２０の充放電制御部２１は、運転モードが通常充放電モードに設定されているとき、充放電部２２の充電レベルが、通常用レベル設定処理によって設定されている通常用上限レベルより大きくならず且つ通常用下限レベルより小さくならないことを条件として充放電装置２０による交流線２との間での電力の充放電を許可した状態で、電力消費装置３が交流線２から受け取る消費電力と充放電装置２０が交流線２から受け取る受取電力との和が所定の通常用目標電力になるように、充放電装置２０が交流線２から受け取る受取電力を制御する。この通常用目標電力は、例えば燃料電池装置１０の最大提供電力（例えば７００Ｗ）に等しい値に設定されている。通常用レベル設定処理は、過去の所定期間内での充放電部２２の充電レベルの増減範囲が広くなるほど、通常用上限レベルの値が大きくなり且つ通常用下限レベルの値が小さくなるように定められた関係に基づいて、所定のタイミングで通常用上限レベルの値及び通常用下限レベルの値を設定する処理である。
【００３６】
充放電装置２０がこのような制御を行うことで、燃料電池装置１０の燃料電池制御部１１は、充放電装置２０の運転モードが通常充放電モードに設定されている間は、その一定の通常用目標電力に見合った電力を燃料電池装置１０から交流線２に提供するように、燃料電池装置１０から交流線２への提供電力を制御する。つまり、充放電装置２０の運転モードが通常充放電モードに設定されている間は、燃料電池装置１０を好ましくは一定出力（＝通常用目標電力）で運転させることができる。加えて、運転モードが通常充放電モードに設定されているとき、充放電部２２の充電レベルが、通常用レベル設定処理によって設定されている通常用上限レベルより大きくならず且つ通常用下限レベルより小さくならないことが確保される。つまり、充放電装置２０では、充電及び放電を無制限に行えるのではなく、通常用レベル設定処理によって設定される通常用上限レベル及び通常用下限レベルによって充電及び放電に制限が加えられることで、充放電部２２の充電レベルを所望の範囲内に制限できる。
【００３７】
図２は通常充放電モード（充電時）での分散型電源システムの動作状態を例示する図である。尚、図中に記載する電力値は例示目的で記載した値である。図示するように、電力消費装置３の消費電力が５００Ｗであるとき、充放電制御部２１は、電力消費装置３の消費電力（５００Ｗ）と充放電装置２０が交流線２から受け取る受取電力との和が通常用目標電力（７００Ｗ）になるように、充放電装置２０が交流線２から受け取る受取電力（充電電力）を２００Ｗに制御する。このとき、燃料電池装置１０の燃料電池制御部１１は、燃料電池装置１０から交流線２への提供電力を７００Ｗに制御することで、電力消費装置３が交流線２から受け取る消費電力Ｐ３と充放電装置２０が交流線２から受け取る受取電力Ｐｂとの和（７００Ｗ）と、燃料電池装置１０から交流線２への提供電力（７００Ｗ）とを等しくさせている。その結果、電力計測器４で計測される電力がゼロになっている。
【００３８】
図３は通常充放電モード（放電時）での分散型電源システムの動作状態を例示する図である。図示するように、電力消費装置３の消費電力が９００Ｗであるとき、充放電制御部２１は、電力消費装置３の消費電力（９００Ｗ）と充放電装置２０が交流線２から受け取る受取電力との和が通常用目標電力（７００Ｗ）になるように、充放電装置２０が交流線２から受け取る受取電力（放電電力）を２００Ｗに制御する。このとき、燃料電池装置１０の燃料電池制御部１１は、燃料電池装置１０から交流線２への提供電力を７００Ｗに制御することで、電力消費装置３が交流線２から受け取る消費電力Ｐ３と充放電装置２０が交流線２から受け取る受取電力Ｐｂとの和（７００Ｗ）と、燃料電池装置１０から交流線２への提供電力（７００Ｗ）とを等しくさせている。その結果、電力計測器４で計測される電力がゼロになっている。
【００３９】
〔放電促進モード〕
放電促進モードは、通常充放電モードで運転しているときよりも充放電部２２からの放電を促進するときの運転モードである。充放電装置２０の充放電制御部２１は、運転モード設定処理において、運転モードが通常充放電モードに設定されている間に充放電部２２の充電レベルが所定の最大閾値以上（例えば充電レベルＳＯＣ≧９５％など）となる状態が設定期間連続すると、所定の放電促進停止条件（例えば充電レベルＳＯＣ＜２０％など）が満たされるまで運転モードを放電促進モードに設定する。
【００４０】
例えば、充放電装置２０の充放電制御部２１は、運転モードが放電促進モードに設定されているとき、充放電部２２の充電レベルが、電力消費装置３が交流線２から受け取る消費電力と充放電装置２０が交流線２から受け取る受取電力との和が、通常用目標電力よりも小さい所定の放電促進用目標電力になるように、充放電装置２０が交流線２から受け取る受取電力を制御する。
【００４１】
図４は放電促進モードでの分散型電源システムの動作状態を例示する図である。図示するように、電力消費装置３の消費電力が５００Ｗであるとき、充放電制御部２１は、電力消費装置３の消費電力（５００Ｗ）と充放電装置２０が交流線２から受け取る受取電力との和が通常用目標電力よりも小さい所定の放電促進用目標電力（１００Ｗ）になるように、充放電装置２０が交流線２から受け取る受取電力（放電電力）を４００Ｗに制御する。このとき、燃料電池装置１０の燃料電池制御部１１は、燃料電池装置１０から交流線２への提供電力を１００Ｗに制御することで、電力消費装置３が交流線２から受け取る消費電力Ｐ３と充放電装置２０が交流線２から受け取る受取電力Ｐｂとの和（１００Ｗ）と、燃料電池装置１０から交流線２への提供電力（１００Ｗ）とを等しくさせている。その結果、電力計測器４で計測される電力がゼロになっている。
【００４２】
充放電装置２０が交流線２から受け取る受取電力を通常充放電モードの場合と放電促進モードの場合とで比較した場合、放電促進用目標電力は通常用目標電力よりも小さいため、電力消費装置３の消費電力が同じであれば、充放電装置２０が交流線２から受け取る受取電力は放電促進モードの場合の方が小さくなる。つまり、充放電装置２０が交流線２から受け取る受取電力が小さいということは、充放電装置２０の放電電力が大きくなる或いは充電電力が小さくなることを意味する。その結果、通常充放電モードで運転しているときよりも充放電部２２からの放電が促進或いは少なくとも充放電部２２への充電が抑制されるので、充放電部２２の充電レベルが上記最大閾値よりも小さくなることを期待できる。例えば、図２に示した通常充放電モードの例、及び、図４に示した放電促進モードの例を用いて、充放電装置２０が交流線２から受け取る受取電力を通常充放電モードの場合と放電促進モードの場合とで比較すると、両者は電力消費装置３の消費電力が５００Ｗになっている点で同じである。ところが、放電促進用目標電力（１００Ｗ）は通常用目標電力（７００Ｗ）よりも小さいため、充放電装置２０は、図２に示したように通常充放電モードで動作するときは２００Ｗの充電を行い、図４に示した放電促進モードで動作するときは４００Ｗの放電を行うというように、放電促進モードの効果が現れている。
【００４３】
或いは、充放電装置２０の充放電制御部２１は、運転モードが放電促進モードに設定されているとき、充放電装置２０が交流線２からの電力の充電を行わずに充放電部２２で蓄えている電力の自己消費を行わせる。このとき、充放電装置２０の充放電制御部２１は、充電禁止モードに設定されている間、自己消費する電力を充電禁止モードではない場合よりも増大させてもよい。例えば、充放電装置２０の充放電制御部２１は、充電禁止モードに設定されている間、充放電装置２０が備えている表示装置や冷却ファンなどの消費電力を増大させるといった制御を行ってもよい。このように、充放電装置２０が交流線２からの電力の充電を行わずに充放電部２２で蓄えている電力の自己消費を行うことで、充放電部２２の充電レベルが上記最大閾値よりも小さくなることを期待できる。
【００４４】
〔充電促進モード〕
充電促進モードは、通常充放電モードで運転しているときよりも充放電部２２への充電を促進するときの運転モードである。充放電装置２０の充放電制御部２１は、運転モード設定処理において、運転モードが通常充放電モードに設定されている間に充放電部２２の充電レベルが所定の最小閾値以下（例えば充電レベルＳＯＣ≦５％など）となる状態が設定期間連続すると、所定の充電促進停止条件（例えば充電レベルＳＯＣ＞４０％など）が満たされるまで運転モードを充電促進モードに設定する。例えば、充放電装置２０の充放電制御部２１は、運転モードが充電促進モードに設定されているとき、充放電部２２から交流線２への放電を行わずに充放電部２２への一定電力以上の充電を継続させる。
【００４５】
図５は充電促進モードでの分散型電源システムの動作状態を例示する図である。図示するように、充放電制御部２１は、充放電部２２から交流線２への放電を行わずに充放電部２２への一定電力（１００Ｗ）の充電を継続させる。このとき、電力消費装置３の消費電力は５００Ｗであるので、燃料電池装置１０の燃料電池制御部１１は、燃料電池装置１０から交流線２への提供電力を６００Ｗに制御することで、電力消費装置３が交流線２から受け取る消費電力Ｐ３と充放電装置２０が交流線２から受け取る受取電力Ｐｂとの和（６００Ｗ）と、燃料電池装置１０から交流線２への提供電力（６００Ｗ）とを等しくさせている。その結果、電力計測器４で計測される電力がゼロになっている。
【００４６】
このように、充電促進モードに設定されている間は、電力消費装置３の消費電力とは無関係に、充放電部２２への一定電力の充電が行われるため、通常充放電モードで運転しているときよりも充放電部２２への充電が促進されると言える。そして、充放電部２２の充電レベルが上記最小閾値よりも大きくなることを期待できる。
【００４７】
次に、図６〜図８を参照して、充放電装置２０の運転モード設定処理について説明する。図６は運転モード設定処理を説明するフローチャートであり、図７は通常充放電モードを説明するフローチャートである。図８は、充放電部２２の充電レベルに関する通常用レベル設定処理の内容を模式的に示す図である。
【００４８】
充放電装置２０の充放電制御部２１は、図６に示す運転モード設定処理を行いながら充放電装置２０の運転モードを適宜設定し、運転モードが通常充放電モードに設定されている間は図７に示すような通常充放電モードで動作する。そして、図７に示す通常充放電モードで動作している間であっても、図６に示す運転モード設定処理の結果によって、運転モードが放電促進モード又は充電促進モードに切り替わることもある。
【００４９】
図７には、通常充放電モードの内容を記載する。
本実施形態では、通常用レベル設定処理によって通常用上限レベル及び通常用下限レベルが設定又は変更されると、その後、所定期間（本実施形態では一日間）はその通常用上限レベル及び通常用下限レベルが維持される。例えば、後述する工程＃３０及び工程＃３２及び工程＃３５において通常用上限レベル及び通常用下限レベルが設定又は変更されると、所定期間（本実施形態では一日間）が経過した後で次の工程へ移行する。
【００５０】
図７の工程＃３０において充放電制御部２１は、通常用上限レベルをＨ１に設定し、通常用下限レベルをＬ１に設定する。本実施形態では、Ｈ１＝４０％であり、Ｌ１＝２０％である。それにより、充放電制御部２１は、充放電部２２の充電レベルが、通常用上限レベルＨ１（４０％）より大きくならず且つ通常用下限レベルＬ１（２０％）より小さくならないことを条件として充放電装置２０による交流線２との間での電力の充放電を許可した状態で、電力消費装置３が交流線２から受け取る消費電力と充放電装置２０が交流線２から受け取る受取電力との和が所定の通常用目標電力（例えば７００Ｗ）になるように、充放電装置２０が交流線２から受け取る受取電力を制御する。
【００５１】
図８の第１通常用設定状態が、通常用上限レベルをＨ１（４０％）に設定し、通常用下限レベルをＬ１（２０％）に設定した状態である。この状態のとき、充放電制御部２１は、充放電部２２の充電レベルが２０％と４０％との間の範囲内であることを条件として充放電装置２０による交流線２との間での電力の充放電を許可した状態で、充放電装置２０が交流線２から受け取る受取電力を制御する。
【００５２】
次に、工程＃３１において充放電制御部２１は、前日の充電レベルの最大値（ＳＯＣｍａｘ）が通常用上限レベルＨ１以上であり、且つ、前日の充電レベルの最小値（ＳＯＣｍｉｎ）が通常用下限レベルＬ１以下であったか否かを判定する。そして、充放電制御部２１は、「前日の充電レベルの最大値が通常用上限レベルＨ１以上であり、且つ、前日の充電レベルの最小値が通常用下限レベルＬ１以下である」という条件が満たされなければ（工程＃３１で「Ｎｏ」であれば）、工程＃３１の判定を繰り返し、その間は、通常用上限レベルをＨ１（４０％）に設定し、通常用下限レベルをＬ１（２０％）に設定し続ける。
【００５３】
これに対して、充放電制御部２１は、「前日の充電レベルの最大値が通常用上限レベルＨ１以上であり、且つ、前日の充電レベルの最小値が通常用下限レベルＬ１以下である」という条件が満たされると（工程＃３１で「Ｙｅｓ」であれば）、工程＃３２に移行して、通常用上限レベルをＨ２に設定し、通常用下限レベルをＬ２に設定する。本実施形態では、Ｈ２＝９０％であり、Ｌ２＝１０％である。
【００５４】
このように、工程＃３１において「前日の充電レベルの最大値が通常用上限レベルＨ１（４０％）以上であり、且つ、前日の充電レベルの最小値が通常用下限レベルＬ１（２０％）以下である」という条件が満たされたということは、通常用上限レベルがＨ１に設定され且つ通常用下限レベルがＬ１に設定された状態において、過去の所定期間内での充放電部２２の充電レベルは、許容されている最大限増減していることを意味する。よって、充放電制御部２１は、工程＃３２に移行して、通常用上限レベルをＨ２（９０％）に設定し、通常用下限レベルをＬ２（１０％）に設定している。つまり、過去の所定期間内での充放電部２２の充電レベルの増減範囲が広かったのであれば、その後も充放電部２２の充電レベルが広い範囲内で増減できるように、通常用上限レベルの値を大きくすることで充放電部２２への充電余裕を大きく確保しておくことができ、且つ、通常用下限レベルの値を小さくすることで充放電部２２からの放電余裕を大きく確保しておくことができる。
【００５５】
図８の第２通常用設定状態が、通常用上限レベルをＨ２（９０％）に設定し、通常用下限レベルをＬ２（１０％）に設定した状態である。この状態のとき、充放電制御部２１は、充放電部２２の充電レベルが１０％と９０％との間の範囲内であることを条件として充放電装置２０による交流線２との間での電力の充放電を許可した状態で、充放電装置２０が交流線２から受け取る受取電力を制御する。
【００５６】
その後、工程＃３３において充放電制御部２１は、前日の充電レベルの最大値から最小値を減算した値が「Ｈ１−Ｌ１」の値よりも小さいか否かを判定する。そして、充放電制御部２１は、「前日の充電レベルの最大値から最小値を減算した値が「Ｈ１−Ｌ１」の値よりも小さい」という条件が満たされなければ（工程＃３３で「Ｎｏ」であれば）工程＃３４に移行し、その条件が満たされれば（工程＃３３で「Ｙｅｓ」であれば）工程＃３０に移行する。
【００５７】
このように、工程＃３３において「前日の充電レベルの最大値から最小値を減算した値が「Ｈ１−Ｌ１（即ち、４０％−２０％）」の値よりも小さい」という条件が満たされたということは、通常用上限レベルがＨ２（９０％）という大きい値に設定され且つ通常用下限レベルがＬ２（１０％）という小さい値に設定されることで広い範囲での充放電が許容されているにも関わらず、過去の所定期間内での充放電部２２の充電レベルが、許容されている最大範囲よりも狭い範囲でしか増減していないことを意味する。よって、充放電制御部２１は、工程＃３０に移行して、通常用上限レベルをＨ１（４０％）に設定し、通常用下限レベルをＬ１（２０％）に設定している。つまり、過去の所定期間内での充放電部２２の充電レベルの増減範囲が狭かったのであれば、その後は充放電部２２の充電レベルが狭い範囲内でしか増減できないように、通常用上限レベルの値を小さくしておき、且つ、通常用下限レベルの値を大きくしておくことができる。
【００５８】
工程＃３４において充放電制御部２１は、前日の充電レベルの最大値が通常用上限レベルＨ２（９０％）と等しく、且つ、前日の充電レベルの最小値が通常用下限レベルＬ２（１０％）と等しかったか否かを判定する。そして、充放電制御部２１は、「前日の充電レベルの最大値が通常用上限レベルＨ２と等しく、且つ、前日の充電レベルの最小値が通常用下限レベルＬ２と等しい」という条件が満たされなければ（工程＃３４で「Ｎｏ」であれば）工程＃３３に移行する。
【００５９】
これに対して、充放電制御部２１は、「前日の充電レベルの最大値が通常用上限レベルＨ２と等しく、且つ、前日の充電レベルの最小値が通常用下限レベルＬ２と等しい」という条件が満たされれば（工程＃３４で「Ｙｅｓ」であれば）工程＃３５に移行して、通常用上限レベルを１００％に設定し、通常用下限レベルを０％に設定する。
【００６０】
このように、工程＃３４において「前日の充電レベルの最大値が通常用上限レベルＨ２（９０％）と等しく、且つ、前日の充電レベルの最小値が通常用下限レベルＬ２（１０％）と等しい」という条件が満たされたということは、通常用上限レベルがＨ２に設定され且つ通常用下限レベルがＬ２に設定された状態において、過去の所定期間内での充放電部２２の充電レベルは、許容されている最大限増減していることを意味する。それに応じて、充放電制御部２１は、工程＃３５に移行して、通常用上限レベルを１００％に設定し、通常用下限レベルを０％に設定している。つまり、過去の所定期間内での充放電部２２の充電レベルの増減範囲が広かったのであれば、その後も充放電部２２の充電レベルが広い範囲内で増減できるように、通常用上限レベルの値を大きくすることで充放電部２２への充電余裕を大きく確保しておくことができ、且つ、通常用下限レベルの値を小さくすることで充放電部２２からの放電余裕を大きく確保しておくことができる。
【００６１】
図８の第３通常用設定状態が、通常用上限レベルを１００％に設定し、通常用下限レベルを０％に設定した状態である。この状態のとき、充放電制御部２１は、充放電部２２の充電レベルが０％と１００％との間の範囲内であることを条件として充放電装置２０による交流線２との間での電力の充放電を許可した状態で、充放電装置２０が交流線２から受け取る受取電力を制御する。
【００６２】
その後、工程＃３６において充放電制御部２１は、前日の充電レベルの最大値から最小値を減算した値が「Ｈ２−Ｌ２」の値よりも小さいか否かを判定する。そして、充放電制御部２１は、「前日の充電レベルの最大値から最小値を減算した値が「Ｈ２−Ｌ２」の値よりも小さい」という条件が満たされなければ（工程＃３６で「Ｎｏ」であれば）工程＃３６を繰り返し、その条件が満たされれば（工程＃３６で「Ｙｅｓ」であれば）工程＃３２に移行する。
【００６３】
このように、工程＃３６において「前日の充電レベルの最大値から最小値を減算した値が「Ｈ２−Ｌ２（即ち、９０％−１０％）」の値よりも小さい」という条件が満たされたということは、通常用上限レベルが１００％という大きい値に設定され且つ通常用下限レベルが０％という小さい値に設定されることで広い範囲での充放電が許容されているにも関わらず、過去の所定期間内での充放電部２２の充電レベルが、許容されている最大範囲よりも狭い範囲でしか増減していないことを意味する。よって、充放電制御部２１は、工程＃３２に移行して、通常用上限レベルをＨ２（９０％）に設定し、通常用下限レベルをＬ２（１０％）に設定している。つまり、過去の所定期間内での充放電部２２の充電レベルの増減範囲が狭かったのであれば、その後は充放電部２２の充電レベルが狭い範囲内でしか増減できないように、通常用上限レベルの値を小さくしておき、且つ、通常用下限レベルの値を大きくしておくことができる。それにより、充放電部２２の充電レベルの増減範囲が狭い状態にある（即ち、充電レベルが一定の値で固定され得る状態にある）にも関わらず、充放電部２２への充電が行われ過ぎてほぼ１００％の状態で固定されるといった問題や、充放電部２２への放電が行われ過ぎてほぼ０％の状態で固定されるといった問題などの発生を回避できる。
【００６４】
以上のように、充放電制御部２１は、通常用レベル設定処理において、過去の所定期間内（本実施形態では前日の一日間）での充放電部２２の充電レベルの増減範囲が広くなるほど、通常用上限レベルの値が大きくなり且つ通常用下限レベルの値が小さくなるように定められた関係に基づいて、所定のタイミングで通常用上限レベルの値及び通常用下限レベルの値を設定する。
【００６５】
図６には、運転モード設定処理の内容を記載する。
図６の工程＃１０において充放電制御部２１は、運転モードが通常充放電モードに設定されている間に充放電部２２の充電レベルが所定の最大閾値以上となる状態が設定期間連続したか否かを判定する。本実施形態では、充電レベルの最大閾値ＳＯＣｍａｘを９５％としている。そして、充放電制御部２１は、充放電部２２の充電レベルが所定の最大閾値以上となる状態が設定期間連続した場合（工程＃１０で「Ｙｅｓ」の場合）には工程＃１５に移行し、設定期間連続していない場合（工程＃１０で「Ｎｏ」の場合）には工程＃１１に移行する。
【００６６】
工程＃１１において充放電制御部２１は、運転モードが通常充放電モードに設定されている間に充放電部２２の充電レベルが所定の最小閾値以下となる状態が設定期間連続したか否かを判定する。本実施形態では、充電レベルの最小閾値ＳＯＣｍｉｎを５％としている。そして、充放電制御部２１は、充放電部２２の充電レベルが所定の最小閾値以下とはる状態が設定期間連続した場合（工程＃１１で「Ｙｅｓ」の場合）には工程＃１２に移行し、設定期間連続していない場合（工程＃１１で「Ｎｏ」の場合）にはこのフローチャートの最初にリターンする。
【００６７】
工程＃１２において充放電制御部２１は、運転モードを、通常充放電モードから充電促進モードへ切り替える。具体的には、充放電制御部２１は、運転モードが通常充放電モードに設定されている間に充放電部２２の充電レベルが所定の最小閾値以下となる状態が設定期間連続すると、所定の充電促進停止条件（例えば充電レベルＳＯＣ＞４０％）が満たされるまで運転モードを充電促進モードに設定する（工程＃１２、工程＃１３）。尚、本実施形態では、充電レベルの最小閾値ＳＯＣｍｉｎを５％（＜Ｌ１（２０％），Ｌ２（１０％））としているため、充放電部２２で蓄えている電力の自己消費による充電レベルの低下を考慮しなければ、通常充放電モードで通常用下限レベルが０％に設定されている場合に限って充電促進モードでの動作が行われるはずである。そして、充放電制御部２１は、充電促進停止条件が満たされると、工程＃１４に移行して、運転モードを充電促進モードから通常充放電モードへ切り替える。尚、本実施形態では、充放電制御部２１は、運転モードを充電促進モードから通常充放電モードへ切り替えるとき、図７に示したフローチャートの工程＃３２（即ち、通常用上限レベルをＨ２（９０％）に設定し、通常用下限レベルをＬ２（１０％）に設定した状態）に移行する。
【００６８】
工程＃１５において充放電制御部２１は、運転モードを、通常充放電モードから放電促進モードへ切り替える。つまり、充放電制御部２１は、運転モードが通常充放電モードに設定されている間に充放電部２２の充電レベルが所定の最大閾値以上となる状態が設定期間連続すると、所定の放電促進停止条件（例えば充電レベルＳＯＣ＜２０％）が満たされるまで運転モードを放電促進モードに設定する（工程＃１５、工程＃１６）。尚、本実施形態では、充電レベルの最大閾値ＳＯＣｍａｘを９５％（＞Ｈ１（４０％），Ｈ２（９０％））としているため、通常充放電モードで通常用上限レベルが１００％に設定されている場合に限って放電促進モードでの動作が行われるはずである。そして、充放電制御部２１は、放電促進停止条件が満たされると、工程＃１７に移行して、運転モードを放電促進モードから通常充放電モードへ切り替える。尚、本実施形態では、充放電制御部２１は、運転モードを放電促進モードから通常充放電モードへ切り替えるとき、図７に示したフローチャートの工程＃３２（即ち、通常用上限レベルをＨ２（９０％）に設定し、通常用下限レベルをＬ２（１０％）に設定した状態）に移行する。
【００６９】
＜別実施形態＞
＜１＞
上記実施形態では、本発明の分散型電源システムの構成について具体例を挙げて説明したが、その構成は適宜変更可能である。
例えば、燃料電池装置１０や充放電装置２０の構成は図示したものに限定されず適宜変更可能である。
【００７０】
また、上記実施形態において、交流線２に対する燃料電池装置１０及び充放電装置２０の接続箇所は適宜変更可能である。例えば、上記実施形態では、燃料電池装置１０が交流線２の上流側（電力系統１に近い側）の第１接続箇所６に接続され、充放電装置２０が交流線２の下流側の第２接続箇所７に接続される例を説明したが、交流線２に対する充放電装置２０の接続箇所よりも下流側で燃料電池装置１０を交流線２に接続するという接続態様を採用してもよい。どのような接続態様を採用するとしても、燃料電池装置１０の燃料電池制御部１１は、適切な箇所で計測された電力値を参照して、電力消費装置３が交流線２から受け取る消費電力Ｐ３と充放電装置２０が交流線２から受け取る受取電力Ｐｂとの和に見合った電力を燃料電池装置１０から交流線２に提供するように、燃料電池装置１０から交流線２への提供電力Ｐｆを制御すればよい。同様に、充放電装置２０の充放電制御部２１は、適切な箇所で計測された電力値を参照して、上述したように充放電装置２０が交流線２から受け取る受取電力Ｐｂを制御すればよい。
【００７１】
＜２＞
上記実施形態では、通常用レベル設定処理の具体的な内容、例えば、通常用上限レベル及び通常用下限レベルを変更するときの条件や、通常用上限レベル及び通常用下限レベルの数値例、充電レベルの最大閾値及び最小閾値の数値例、充電促進停止条件及び放電促進停止条件などについて説明したが、それらの内容は適宜変更可能である。
【００７２】
＜３＞
上記実施形態では、通常用レベル設定処理の具体的な内容、例えば、通常用上限レベル及び通常用下限レベルを変更するときの条件や、通常用上限レベル及び通常用下限レベルの数値例、充電レベルの最大閾値及び最小閾値の数値例、充電促進停止条件及び放電促進停止条件などについて説明したが、それらの内容は適宜変更可能である。
【００７３】
＜４＞
上記実施形態では、本発明の発電装置の例として燃料電池装置１０を挙げたが、所定の最小提供電力と最大提供電力との間の範囲内で出力を自在に調節できる他の様々な発電装置を用いることができる。例えば、エンジンとそのエンジンによって駆動される発電機とを備えて構成されるタイプの発電装置などを用いることできる。
【００７４】
＜５＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００７５】
本発明は、発電装置と共に運用する充放電装置について、高充電状態及び低充電状態が長期間連続することによる充放電装置の蓄電池の耐久性低下を回避できる分散型電源システムに利用できる。
【符号の説明】
【００７６】
１  電力系統
２  交流線
３  電力消費装置
１０  燃料電池装置（発電装置）
１１  燃料電池制御部（発電制御部）
１２  燃料電池部（発電部）
２０  充放電装置
２１  充放電制御部
２２  充放電部
２２ａ  蓄電池
Ｐ３  消費電力
Ｐｂ  受取電力
Ｐｆ  提供電力
【図１】
2019030161.tif 000003
【図２】
2019030161.tif 000004
【図３】
2019030161.tif 000005
【図４】
2019030161.tif 000006
【図５】
2019030161.tif 000007
【図６】
2019030161.tif 000008
【図７】
2019030161.tif 000009
【図８】
2019030161.tif 000010